(57)【要約】【課題】密閉性が高くかつ装着が容易な防護服を提供する。【解決手段】防護服１Ａは、フード部１０とジャケット部２０とを備え、フード部１０には、防護マスク２００の一部を露出させるための開口部１６が設けられる。フード部１０には、開口部１６から延びるように下前立１１ａおよび上前立１２ａからなる前合わせ１５が形成される。フード部１０には、着用状態における開口部１６の形状を維持する第１面ファスナが設けられ、上前立１２ａには、着用状態において下前立１１ａに隣り合う部分のフード部１０の外面上に配置されるタブ１８が突設される。第１面ファスナに含まれる一方のファスナ部材は、下前立１１ａに隣り合う部分のフード部１０の外面に設けられ、第１面ファスナに含まれる他方のファスナ部材は、タブ１８の内面に設けられる。【選択図】図５
2018126364.tif 000002
【特許請求の範囲】
【請求項１】
使用者が頭部に防護マスクを装着した状態で防護マスクの上から着用される防護服であって、
着用状態において使用者の頭部および頸部を覆う袋状のフード部と、
前記フード部の下端から連続するとともに、着用状態において使用者の胴部を覆うジャケット部とを備え、
前記フード部のうちの使用者の頭部を覆う部分には、着用状態において防護マスクの一部を露出させるための開口部が設けられ、
前記フード部には、前記開口部から延びるように下前立および上前立が設けられることで着用状態において重なる部分である前合わせが形成され、
前記フード部には、着用状態において係合することで着用状態における前記開口部の形状を維持するための第１面ファスナがさらに設けられ、
前記上前立には、着用状態において前記下前立に隣り合う部分のフード部の外面上に配置される舌片状のタブが突設され、
前記第１面ファスナに含まれる一対のファスナ部材のうちの一方が、前記下前立に隣り合う部分のフード部の外面に設けられているとともに、前記第１面ファスナに含まれる一対のファスナ部材のうちの他方が、前記タブの内面に設けられている、防護服。
【請求項２】
前記第１面ファスナが、着用状態において前記開口部に沿って延在するように構成されている、請求項１に記載の防護服。
【請求項３】
前記開口部の周縁に位置する部分のフード部が、伸縮性を有するバイアステープによって覆われている、請求項１または２に記載の防護服。
【請求項４】
前記前合わせが、前記開口部の下方に位置している、請求項１から３のいずれかに記載の防護服。
【請求項５】
前記前合わせの前記開口部に達する部分が、前記フード部の左右方向における中心位置よりも、着用状態において前記タブが前記上前立から突出する方向に向けてずれた位置に設けられている、請求項４に記載の防護服。
【請求項６】
前記下前立が、前記開口部から、前記フード部のうちの使用者の頸部を覆う部分を経由して、前記ジャケット部に達するように形成されているとともに、前記上前立が、前記開口部から、前記フード部のうちの使用者の頸部を覆う部分を経由して、前記ジャケット部に達するように形成されていることにより、前記前合わせが、前記フード部と前記ジャケット部とに跨るように設けられている、請求項４または５に記載の防護服。
【請求項７】
前記前合わせが、前記開口部から前記ジャケット部の裾にまで到達している、請求項６に記載の防護服。
【請求項８】
着用状態において係合することで前記前合わせが閉じた状態を維持するためのスライドファスナおよび第２面ファスナをさらに備え、
前記スライドファスナに含まれる一対のファスナ部材のうちの一方と、前記第２面ファスナに含まれる一対のファスナ部材の一方とが、前記下前立の外面に設けられているとともに、前記スライドファスナに含まれる一対のファスナ部材のうちの他方と、前記第２面ファスナに含まれる一対のファスナ部材のうちの他方とが、前記上前立の内面に設けられている、請求項１から７のいずれかに記載の防護服。
【発明の詳細な説明】
【技術分野】
【０００１】
本発明は、有害な物質が存在する周囲環境から使用者を保護するための防護服に関し、特に、使用者が頭部に防護マスクを装着した状態で防護マスクの上から着用される防護服に関する。
【背景技術】
【０００２】
作業者が有害な物質が存在する周囲環境下において作業を行なうためには、防護マスクの装着と防護服の着用とが必要になる。防護服としては、種々の構成のものが存在するが、その一つとして、防護マスクの上から着用されるものが知られている。この種の防護服の一例としては、たとえば特開２０１０−１３３７７２号公報（特許文献１）に開示のものがある。
【先行技術文献】
【特許文献】
【０００３】
【特許文献１】特開２０１０−１３３７７２号公報
【発明の概要】
【発明が解決しようとする課題】
【０００４】
一般に防護服においては、着用状態における密閉性が高いことが必要であり、着用状態において防護服の内部と外部とが十分に遮断されることが重要である。
【０００５】
たとえば前開きタイプのフード付きジャケットからなる防護服においては、防護マスクの一部を露出させることで視界を確保するためにフード部に設けられた開口部と、ジャケット部に設けられた左右の袖口、裾および前合わせにおいて気密性が低下してしまうおそれがある。
【０００６】
そのため、上述した開口部、袖口および裾においては、ギャザー部等が設けられることにより、また上述した前合わせにおいては、面ファスナからなる係合部等が設けられることにより、防護服が防護マスクおよび使用者に密着するよう構成される場合が多い。
【０００７】
一方で防護服においては、着用状態における密閉性を高めれば高めるほど、その着用の際に必要となる装着作業が煩雑化してしまう傾向がある。そのため、短時間での防護服の装着が困難になり、緊急性を伴う場合等にその着用に支障をきたすおそれがある。
【０００８】
このように、着用状態における密閉性の向上と着用の際の装着作業の容易化とは、概してトレードオフの関係にあり、密閉性が高くかつ装着が容易な防護服の開発が求められている。
【０００９】
したがって、本発明は、上述した問題に鑑みてなされたものであり、密閉性が高くかつ装着が容易な防護服を提供することを目的とする。
【課題を解決するための手段】
【００１０】
本発明に基づく防護服は、使用者が頭部に防護マスクを装着した状態で防護マスクの上から着用されるものであって、着用状態において使用者の頭部および頸部を覆う袋状のフード部と、上記フード部の下端から連続するとともに、着用状態において使用者の胴部を覆うジャケット部とを備えている。上記フード部のうちの使用者の頭部を覆う部分には、着用状態において防護マスクの一部を露出させるための開口部が設けられている。上記フード部には、上記開口部から延びるように下前立および上前立が設けられることで着用状態において重なる部分である前合わせが形成されている。上記フード部には、着用状態において係合することで着用状態における上記開口部の形状を維持するための第１面ファスナがさらに設けられている。上記上前立には、着用状態において上記下前立に隣り合う部分のフード部の外面上に配置される舌片状のタブが突設されている。上記第１面ファスナに含まれる一対のファスナ部材のうちの一方は、上記下前立に隣り合う部分のフード部の外面に設けられており、上記第１面ファスナに含まれる一対のファスナ部材のうちの他方は、上記タブの内面に設けられている。
【００１１】
上記本発明に基づく防護服にあっては、上記第１面ファスナが、着用状態において上記開口部に沿って延在するように構成されていることが好ましい。
【００１２】
上記本発明に基づく防護服にあっては、上記開口部の周縁に位置する部分のフード部が、伸縮性を有するバイアステープによって覆われていることが好ましい。
【００１３】
上記本発明に基づく防護服にあっては、上記前合わせが、上記開口部の下方に位置していることが好ましい。
【００１４】
上記本発明に基づく防護服にあっては、上記前合わせの上記開口部に達する部分が、上記フード部の左右方向における中心位置よりも、着用状態において上記タブが上記上前立から突出する方向に向けてずれた位置に設けられていることが好ましい。
【００１５】
上記本発明に基づく防護服にあっては、上記下前立が、上記開口部から、上記フード部のうちの使用者の頸部を覆う部分を経由して、上記ジャケット部に達するように形成されているとともに、上記上前立が、上記開口部から、上記フード部のうちの使用者の頸部を覆う部分を経由して、上記ジャケット部に達するように形成されていることにより、上記前合わせが、上記フード部と上記ジャケット部とに跨るように設けられていてもよい。
【００１６】
上記本発明に基づく防護服にあっては、上記前合わせが、上記開口部から上記ジャケット部の裾にまで到達していてもよい。
【００１７】
上記本発明に基づく防護服は、着用状態において係合することで上記前合わせが閉じた状態を維持するためのスライドファスナおよび第２面ファスナをさらに備えていてもよく、その場合には、上記スライドファスナに含まれる一対のファスナ部材のうちの一方と、上記第２面ファスナに含まれる一対のファスナ部材の一方とが、上記下前立の外面に設けられているとともに、上記スライドファスナに含まれる一対のファスナ部材のうちの他方と、上記第２面ファスナに含まれる一対のファスナ部材のうちの他方とが、上記上前立の内面に設けられていることが好ましい。
【発明の効果】
【００１８】
本発明によれば、密閉性が高くかつ装着が容易な防護服が提供可能になる。
【図面の簡単な説明】
【００１９】
【図１】本発明の実施の形態１における防護服の正面図である。
【図２】図１に示す防護服の背面図である。
【図３】図１に示す防護服の上前立を開いた状態を示す正面図である。
【図４】図１に示す防護服の前合わせを一部開いた状態におけるフード部近傍の正面図である。
【図５】図１に示す防護服の着用状態におけるフード部近傍の一部破断正面図である。
【図６】図１に示す防護服の着用状態におけるフード部近傍の側面図である。
【図７】図５に示すＶＩＩ−ＶＩＩ線に沿った概略断面図である。
【図８】本発明の実施の形態２における防護服の正面図である。
【図９】本発明の実施の形態３における防護服の正面図である。
【図１０】本発明の実施の形態４における防護服の正面図である。
【発明を実施するための形態】
【００２０】
以下、本発明の実施の形態について、図を参照して詳細に説明する。なお、以下に示す実施の形態においては、同一のまたは共通する部分について図中同一の符号を付し、その説明は繰り返さない。
【００２１】
本明細書において使用する「前」、「後」、「上」、「下」、「右」、「左」の用語は、いずれも防護服を着用した使用者から見た方向を意味する。すなわち、使用者の身体の中心を基準とした場合に、「前」は、使用者の腹部側を意味し、「後」は、使用者の背部側を意味し、「上」は、使用者の頭部側を意味し、「下」は、使用者の足部側を意味し、「右」は、使用者の右腕部側を意味し、「左」は、使用者の左腕部側を意味する。
【００２２】
（実施の形態１）
図１は、本発明の実施の形態１における防護服の正面図であり、図２は、図１に示す防護服の背面図である。図３は、図１に示す防護服の上前立を開いた状態を示す正面図であり、図４は、図１に示す防護服の前合わせを一部開いた状態におけるフード部近傍の正面図である。まず、これら図１ないし図４を参照して、本実施の形態における防護服１Ａの構成について説明する。
【００２３】
図１ないし図３に示すように、本実施の形態における防護服１Ａは、前開きタイプのフード付きジャケットからなる防護服である。防護服１Ａは、使用者が頭部に防護マスクを装着した状態で防護マスクの上から着用されるものであり、フード部１０と、ジャケット部２０とを備えている。
【００２４】
図１ないし図４に示すように、フード部１０は、着用状態において使用者の頭部および頸部を覆う下端が開口した袋状の形状を有している。フード部１０は、使用者の右側頭部を主として覆う第１布材１１と、使用者の左側頭部を主として覆う第２布材１２と、使用者の後頭部および頂頭部を主として覆う第３布材１３とを有している。
【００２５】
フード部１０は、第１布材１１と第３布材１３とが縫合されるとともに、第２布材１２と第３布材１３とが縫合されることにより、上述した着用状態において使用者の頭部および頸部を覆う下端が開口した袋状の形状を有している。
【００２６】
ここで、上述した第１布材１１、第２布材１２および第３布材１３は、いずれもフード部１０の外面（おもて面）および内面（うら面）を構成するものである。すなわち、本実施の形態における防護服１Ａにおいては、フード部１０が基本的に一層の布材によって構成されている。しかしながら、これら第１布材１１、第２布材１２および第３布材１３の各々の内面（うら面）を覆うように別途裏地を設けてもよい。その場合には、第１布材１１、第２布材１２および第３布材１３が、主としてフード部１０の外面（おもて面）を構成することになり、裏地が、主としてフード部１０の内面（うら面）を構成することになる。
【００２７】
フード部１０のうち、使用者の頭部を覆う部分には、着用状態において防護マスクの一部を露出させることで視界を確保するための開口部１６が設けられている。当該開口部１６は、着用状態において使用者の顔面の前方に配置されることになるように、防護服１Ａを正面視した状態においてフード部１０の略中央部に位置するように設けられている。開口部１６は、後述する前合わせ１５，２６を閉じた状態（すなわち図１に示す状態）において、その外形が略円形状を有するように構成されている。
【００２８】
開口部１６は、第１布材１１、第２布材１２および第３布材１３の各々の縁部を覆うように取付けられた伸縮可能なバイアステープ１４によって規定されている。当該バイアステープ１４は、第１布材１１、第２布材１２および第３布材１３の各々の縁部に襞が形成されるようにこれら布材の縁部を寄せ集めて絞った状態を保持することにより、開口部１６の周縁にギャザー部１７を形成するための部材である。なお、バイアステープ１４は、第１布材１１、第２布材１２および第３布材１３の各々の縁部の外面（おもて面）から縁部の端面を経由し、さらにこれら第１布材１１、第２布材１２および第３布材１３の縁部の内面（うら面）を覆うように設けられているが、その詳細については、後述することとする。
【００２９】
フード部１０には、開口部１６から延びるように下前立１１ａおよび上前立１２ａが設けられている。具体的には、第１布材１１の前方側に位置する縁部およびその近傍部分によって下前立１１ａが形成されており、第２布材１２の前方側に位置する縁部およびその近傍部分によって上前立１２ａが形成されている。これら下前立１１ａおよび上前立１２ａは、着用状態において互いに重ね合わされる部分であり、これら下前立１１ａおよび上前立１２ａによって前合わせ１５が構成されている。なお、前合わせ１５が閉じた状態においては、上前立１２ａの内面（うら面）が下前立１１ａの外面（おもて面）に重ね合わされることになる。
【００３０】
下前立１１ａおよび上前立１２ａからなる前合わせ１５は、開口部１６の下端寄りの位置から、開口部１６の下方に向けて延びており、フード部１０のうちの着用状態において使用者の頸部を覆う部分を経由してフード部１０の下端にまで到達しており、さらに後述するジャケット部２０に設けられた前合わせ２６に連続している。
【００３１】
なお、フード部１０には、上前立１２ａから突設されたタブ１８、および、着用状態において係合することで着用状態における開口部１６の形状を維持し開口部１６における気密性を確保するための第１面ファスナ（ファスナ部材Ａ１，Ａ２）がさらに設けられているが、これらの詳細については後述することとする。
【００３２】
ここで、本実施の形態における防護服１Ａにあっては、着用状態において使用者の頸部を覆う部分のフード部１０が、一般的なフード付きジャケットの首回りに比べ、当該部分により多くの余剰の布材が位置することとなるように、その寸法が周方向および上下方向の双方に沿って十分に大きくなるように形成されている。このようにフード部１０が形成されることにより、フード部１０の首回りに十分な襠が形成されることになり、着用状態において頭部をよりスムーズに動かすことが可能になる。
【００３３】
図１ないし図３に示すように、ジャケット部２０は、着用状態において使用者の胴部を覆う袋状の形状を有している。本実施の形態においては、ジャケット部２０は、着用状態において使用者の胴部を覆うのみならず、使用者の右腕部および左腕部を覆う形状を有している。ジャケット部２０は、使用者の右胸部および右腹部を主として覆う布材である下前身ごろ２１と、使用者の左胸部および左腹部を主として覆う布材である上前身ごろ２２と、使用者の背部を主として覆う布材である後身ごろ２３と、使用者の右腕部および右肩部を主として覆う布材である右袖２４と、使用者の左腕部および左肩部を主として覆う布材である左袖２５とを有している。
【００３４】
ジャケット部２０は、下前身ごろ２１と後身ごろ２３とが縫合されるとともに、上前身ごろ２２と後身ごろ２３とが縫合され、さらに、右袖２４と下前身ごろ２１および後身ごろ２３とが縫合されるとともに、左袖２５と上前身ごろ２２および後身ごろ２３とが縫合されることにより、上述した着用状態において使用者の胴部を覆う袋状の形状を有している。なお、図１および図２等に示すように、使用者がスムーズに動作を行なうことができるように、下前身ごろ２１および後ろ身ごろ２３と右袖２４との間ならびに上前身ごろ２２および後ろ身ごろ２３と左袖２５との間にそれぞれ襠となる布材を追加することとしてもよい。
【００３５】
ここで、上述した下前身ごろ２１、上前身ごろ２２、後身ごろ２３、右袖２４および左袖２５は、いずれもジャケット部２０の外面（おもて面）および内面（うら面）を構成するものである。すなわち、本実施の形態における防護服１Ａにおいては、ジャケット部２０が基本的に一層の布材によって構成されている。しかしながら、これら下前身ごろ２１、上前身ごろ２２、後身ごろ２３、右袖２４および左袖２５の各々の内面（うら面）を覆うように別途裏地を設けてもよい。その場合には、下前身ごろ２１、上前身ごろ２２、後身ごろ２３、右袖２４および左袖２５が、主としてジャケット部２０の外面（おもて面）を構成することになり、裏地が、主としてジャケット部２０の内面（うら面）を構成することになる。
【００３６】
ジャケット部２０は、その上部に開口形状の襟ぐり２０ａを有しており、その下部に開口形状の裾２０ｂを有している。また、ジャケット部２０は、右袖２４の先端に開口形状の袖口２０ｃを有しており、左袖２５の先端に開口形状の袖口２０ｄを有している。
【００３７】
このうち、ジャケット部２０の襟ぐり２０ａは、フード部１０の下端に縫合されている。これにより、ジャケット部２０は、フード部１０の下端から連続するように位置することになり、防護服１Ａが、全体としてフード付きジャケットとして構成されることになる。
【００３８】
ジャケット部２０には、襟ぐり２０ａから延びるように下前立２１ａおよび上前立２２ａが設けられている。具体的には、下前身ごろ２１の前方側に位置する縁部およびその近傍部分によって下前立２１ａが形成されており、上前身ごろ２２の前方側に位置する縁部およびその近傍部分によって上前立２２ａが形成されている。これら下前立２１ａおよび上前立２２ａは、着用状態において互いに重ね合わされる部分であり、これら下前立２１ａおよび上前立２２ａによって前合わせ２６が構成されている。なお、前合わせ２６が閉じた状態においては、上前立２２ａの内面（うら面）が下前立２１ａの外面（おもて面）に重ね合わされることになる。
【００３９】
ここで、ジャケット部２０に設けられた下前立２１ａは、フード部１０に設けられた下前立１１ａに連続しており、ジャケット部２０に設けられた上前立２２ａは、フード部１０に設けられた上前立１２ａに連続している。これにより、フード部１０に設けられた前合わせ１５とジャケット部２０に設けられた前合わせ２６とが、フード部１０とジャケット部２０とに跨って位置することになり、これらが一体となって上述した前開きが構成されることになる。本実施の形態においては、前合わせ１５，２６が、フード部１０に設けられた開口部１６からジャケット部２０の裾２０ｂにまで到達するように構成されている。
【００４０】
なお、図１に示すように、本実施の形態においては、前合わせ１５，２６が、防護服１Ａの左右方向における中心位置から右方向にずれた位置に設けられており、これに伴ってフード部１０に設けられた前合わせ１５の開口部１６に達する部分が、フード部１０の左右方向における中心位置から右方向にずれた位置に配置されているが、その詳細については後述することとする。
【００４１】
ジャケット部２０の裾２０ｂには、ギャザー部２８ｃが設けられている。このギャザー部２８ｃは、裾２０ｂにおける防護服１Ａの使用者に対する密着性を高めるためのものであり、これにより裾２０ｂにおける気密性の向上が図られている。
【００４２】
ジャケット部２０の右袖２４の先端に位置する袖口２０ｃには、ギャザー部２８ａが設けられているとともに、当該袖口２０ｃの近傍には、ベルト部２９ａが設けられている。これらギャザー部２８ａおよびベルト部２９ａは、いずれも袖口２０ｃにおける防護服１Ａの使用者に対する密着性を高めるためのものであり、これにより袖口２０ｃにおける気密性の向上が図られている。
【００４３】
ジャケット部２０の左袖２５の先端に位置する袖口２０ｄには、ギャザー部２８ｂが設けられているとともに、当該袖口２０ｄの近傍には、ベルト部２９ｂが設けられている。これらギャザー部２８ｂおよびベルト部２９ｂは、いずれも袖口２０ｄにおける防護服１Ａの使用者に対する密着性を高めるためのものであり、これにより袖口２０ｄにおける気密性の向上が図られている。
【００４４】
図３および図４に示すように、フード部１０およびジャケット部２０に設けられた前合わせ１５，２６には、スライドファスナ（ファスナ部材Ｂ１，Ｂ２）および第２面ファスナ（ファスナ部材Ｃ１，Ｃ２）が取付けられている。これらスライドファスナおよび第２面ファスナは、着用状態において係合することで前合わせ１５，２６が閉じた状態を維持するものである。
【００４５】
より詳細には、スライドファスナに含まれる一対のファスナ部材のうちの一方であるファスナ部材Ｂ１は、フード部１０に設けられた下前立１１ａおよびジャケット部２０に設けられた下前立２１ａに跨るようにこれらの外面（おもて面）に上下方向に延在して設けられており、スライドファスナに含まれる一対のファスナ部材のうちの他方であるファスナ部材Ｂ２は、フード部１０に設けられた上前立１２ａおよびジャケット部２０に設けられた上前立２２ａに跨るようにこれらの内面（うら面）に上下方向に延在して設けられている。
【００４６】
また、第２面ファスナに含まれる一対のファスナ部材のうちの一方であるファスナ部材Ｃ１は、フード部１０に設けられた下前立１１ａおよびジャケット部２０に設けられた下前立２１ａに跨るようにこれらの外面（おもて面）に上下方向に延在して設けられており、第２面ファスナに含まれる一対のファスナ部材のうちの他方であるファスナ部材Ｃ２は、フード部１０に設けられた上前立１２ａおよびジャケット部２０に設けられた上前立２２ａに跨るようにこれらの内面（うら面）に上下方向に延在して設けられている。
【００４７】
ここで、スライドファスナは、着用状態において第２面ファスナよりも防護服１Ａの内部側に位置することとなるように、前合わせ１５，２６の第１布材１１および下前身ごろ２１の縁部側に設けられており、第２面ファスナは、着用状態においてスライドファスナよりも防護服１Ａの外部側に位置することとなるように、前合わせ１５，２６の第２布材１２および上前身ごろ２２の縁部側に設けられている。
【００４８】
図３に示すように、フード部１０の下前立１１ａに隣り合う部分（すなわち、着用状態においてフード部１０の上前立１２ａに隣り合う部分）の外面（おもて面）には、第１面ファスナに含まれる一対のファスナ部材のうちの一方であるファスナ部材Ａ１が設けられている。当該ファスナ部材Ａ１は、平面視細長略矩形状のシート状の外形を有しており、着用状態において開口部１６に沿って延在するように第１布材１１に取付けられている。
【００４９】
一方、図１、図３および図４に示すように、フード部１０の上前立１２ａには、着用状態においてフード部１０の下前立１１ａに隣り合う部分の外面（おもて面）上に配置されることになる舌片状のタブ１８が突設されている。当該タブ１８は、平面視細長略矩形状のシート状の外形を有しており、着用状態において開口部１６に沿って延在するように第２布材１２から突出して位置している。
【００５０】
このタブ１８の内面（うら面）には、第１面ファスナに含まれる一対のファスナ部材のうちの他方であるファスナ部材Ａ２が設けられている。当該ファスナ部材Ａ２は、タブ１８の形状に応じた平面視細長略矩形状のシート状の外形を有している。
【００５１】
図５は、図１に示す防護服の着用状態におけるフード部近傍の一部破断正面図であり、図６は、着用状態におけるフード部近傍の側面図である。また、図７は、図５に示すＶＩＩ−ＶＩＩ線に沿った概略断面図である。次に、これら図５ないし図７を参照して、本実施の形態における防護服１Ａを使用者１００が着用した着用状態について説明するとともに、当該着用状態における防護服１Ａの要部の状態について説明する。
【００５２】
図５および図６に示すように、使用者１００が防護服１Ａを着用した状態においては、使用者１００の頭部１０１および頸部１０２が、防護服１Ａのフード部１０によって覆われるとともに、使用者１００の胴部１０３が、防護服１Ａのジャケット部２０によって覆われる。また、使用者１００が防護服１Ａを着用した状態においては、フード部１０に設けられた開口部１６が、使用者１００が頭部１０１に装着した防護マスク２００に重なるように位置することになり、これによって防護マスク２００の一部が当該開口部１６を介して外部に露出する。
【００５３】
ここで、図５においては、理解を容易とするために、使用者１００の左半身側部分において防護服１Ａの図示を省略するとともに、使用者１００の右半身側部分において、使用者１００および防護マスク２００の図示を省略している。
【００５４】
図５および図６に示すように、防護服１Ａの着用状態においては、フード部１０およびジャケット部２０に設けられた上前立１２ａ，２２ａが、フード部１０およびジャケット部２０に設けられた下前立１１ａ，２１ａにそれぞれ重ね合わされることで前合わせ１５，２６が閉じた状態とされるとともに、当該前合わせ１５，２６に設けられたスライドファスナおよび第２面ファスナがいずれも係合された状態とされる。
【００５５】
加えて、図５ないし図７に示すように、防護服１Ａの着用状態においては、フード部１０の上前立１２ａから突設されたタブ１８が、フード部１０の下前立１１ａに隣り合う部分の第１布材１１の外面（おもて面）上に宛がわれる。これにより、図７に示すように、下前立１１ａに隣り合う部分の第１布材１１の外面（おもて面）に設けられたファスナ部材Ａ１と、タブ１８の内面（うら面）に設けられたファスナ部材Ａ２とが係合することになり、これらファスナ部材Ａ１，Ａ２によって構成された第１面ファスナが係合された状態とされる。
【００５６】
その際、図５および図６に示すように、タブ１８が上前立１２ａから突出する方向に向けてタブ１８を開口部１６に沿って引っ張った状態としつつ、第１面ファスナを係合することにより、開口部１６に適度に張力がかかった状態が実現されることになり、さらには、係合した状態にある第１面ファスナにより、この張力がかかった状態にある開口部１６の形状が維持されることになる。
【００５７】
なお、上述した着用状態は、防護服１Ａを羽織った状態で上述した第１面ファスナ、スライドファスナおよび第２面ファスナを係合させるだけの簡単な装着作業で実現できる。
【００５８】
また、上述したように、本実施の形態においては、前合わせ１５，２６が、防護服１Ａの左右方向における中心位置から右方向にずれた位置に設けられており、これに伴ってフード部１０に設けられた前合わせ１５の開口部１６に達する部分が、フード部１０の左右方向における中心位置から右方向にずれた位置に配置されている。このように構成した場合には、着用状態において前合わせ１５が使用者１００の口元近傍（すなわち顎部および喉部）に配置されることが回避でき、着用感の改善を図ることができる。
【００５９】
さらには、本実施の形態の如く、前合わせ１５の開口部１６に達する部分を、フード部１０の左右方向における中心位置よりも、着用状態においてタブ１８が上前立１２ａから突出する方向に向けてずれた位置に設けることにより、防護服１Ａの装着作業時において、タブ１８が防護マスク２００の直下（すなわち、ゴーグルから突設された部分である吸収缶の直下）に配置されることが回避できるため、その装着作業がより容易に行なえる効果も得られる。
【００６０】
以上において説明したように、本実施の形態における防護服１Ａとすることにより、密閉性が高くかつ装着が容易な防護服とすることができる。特に、本実施の形態における防護服１Ａとすることにより、着用の際の装着作業を煩雑化させることなく、防護マスク２００の一部を露出させることで視界を確保するためにフード部１０に設けられた開口部１６における密閉性を従来に比してより高く確保することができる。
【００６１】
なお、前述の図５および図６においては、本実施の形態における防護服１Ａの着用例として、単眼式のゴーグルを備えた防護マスク２００を使用者１００が装着している場合を例示して説明を行なったが、本実施の形態における防護服１Ａは、複眼式（二眼式）のゴーグルを備えた防護マスクを装着した状態においてもその上から着用できるものである。
【００６２】
（実施の形態２）
図８は、本発明の実施の形態２における防護服の正面図である。以下、この図８を参照して、本実施の形態における防護服１Ｂについて説明する。
【００６３】
図８に示すように、防護服１Ｂは、プルオーバータイプのフード付きジャケットからなる防護服であり、上述した実施の形態１における防護服１Ａと比較した場合に、ジャケット部２０に前合わせ２６（図１等参照）が設けられていない点においてのみ、その構成が相違している。
【００６４】
より詳細には、防護服１Ｂは、上述した実施の形態１における防護服１Ａと同様の構成のフード部１０を有しているものの、ジャケット部２０が、上述した実施の形態１における防護服１Ａが有していた下前身ごろ２１および上前身ごろ２２に代えて、１枚の布材からなる前身ごろ２１’のみを有している。ここで、当該前身ごろ２１’には、前合わせが形成されておらず、フード部１０に設けられた前合わせは、フード部１０の裾（すなわち、ジャケット部２０の襟ぐり２０ａ）において途切れている。
【００６５】
このように構成した場合にも、上述した実施の形態１において説明した効果と同様の効果を得ることができる。
【００６６】
（実施の形態３）
図９は、本発明の実施の形態３における防護服の正面図である。以下、この図９を参照して、本実施の形態における防護服１Ｃについて説明する。
【００６７】
図９に示すように、防護服１Ｃは、プルオーバータイプのフード付きジャケットからなる防護服であり、上述した実施の形態２における防護服１Ｂと比較した場合に、ジャケット部２０に前合わせ２６が設けられている点においてのみ、その構成が相違している。
【００６８】
より詳細には、防護服１Ｃは、上述した実施の形態２における防護服１Ｂと同様の構成のフード部１０を有しているものの、ジャケット部２０を構成する前身ごろ２１’に前合わせ２６を有している。ここで、当該前合わせ２６は、フード部１０に設けられた前合わせ１５に連続するとともに、ジャケット部２０の襟ぐり２０ａから下方に向かって延び、ジャケット部２０の裾２０ｂに達することなく途中で途切れている。
【００６９】
このように構成した場合にも、上述した実施の形態１において説明した効果と同様の効果を得ることができる。
【００７０】
（実施の形態４）
図１０は、本発明の実施の形態４における防護服の正面図である。以下、この図１０を参照して、本実施の形態における防護服１Ｄについて説明する。
【００７１】
図１０に示すように、防護服１Ｄは、カバーオール（いわゆる「つなぎ」）タイプのフード付きジャケットからなる防護服であり、上述した実施の形態１における防護服１Ａと比較した場合に、ジャケット部２０が、着用状態において使用者の胴部、右腕部および左腕部を覆うのみならず、使用者の脚部を覆う形状を有している点においてのみ、その構成が相違している。
【００７２】
より詳細には、防護服１Ｄは、上述した実施の形態１における防護服１Ａと同様の構成のフード部１０を有しているものの、ジャケット部２０の下前身ごろ２１および上前身ごろ２２が下方に向けて延設されるとともに、後ろ身ごろ（図１０においては現われず）が下方に向けて延設されることにより、上述した脚部を覆う部分であるズボン部３０がさらに形成されている。なお、図１０に示す防護服１Ｄは、使用者の脚部を覆う部分であるズボン部３０を簡略化して記載したものであり、ズボン部３０の形状は、特にこれに限定されるものではない。
【００７３】
ここで、右脚部を覆う部分のズボン部３０の裾３０ａには、当該裾３０ａにおける防護服１Ｄの使用者に対する密着性を高めるためのギャザー部３１ａが設けられており、これにより裾３０ａにおける気密性の向上が図られている。
【００７４】
一方、左脚部を覆う部分のズボン部３０の裾３０ｂには、当該裾３０ｂにおける防護服１Ｄの使用者に対する密着性を高めるためのギャザー部３１ｂが設けられており、これにより裾３０ｂにおける気密性の向上が図られている。
【００７５】
なお、ジャケット部２０に設けられた前合わせ２６は、フード部１０に設けられた前合わせ１５に連続するとともに、ズボン部３０の股下部近傍にまで到達している。
【００７６】
このように構成した場合にも、上述した実施の形態１において説明した効果と同様の効果を得ることができる。
【００７７】
上述した本発明の実施の形態１ないし４においては、フード部に設けられた開口部の周縁にギャザー部が形成されるようにバイアステープが取付けられてなる防護服に本発明を適用した場合を例示して説明を行なったが、バイアステープは必ずしも必須の構成ではなく、開口部の周縁にギャザー部が設けられなくてもよい。
【００７８】
また、上述した本発明の実施の形態１ないし４においては、開口部のさらなる気密性を確保するために、開口部の周縁に沿ってフード部の内面に、防護マスクとの密着性に優れた部材を滑り止め部材として取付けてもよい。
【００７９】
また、上述した本発明の実施の形態１ないし４においては、第１面ファスナが着用状態において開口部に沿って延在するように構成してなる防護服とした場合を例示して説明を行なったが、必ずしも第１面ファスナが開口部に沿う形状を有している必要はない。
【００８０】
また、上述した本発明の実施の形態１ないし４においては、前開きタイプ、プルオーバータイプおよびカバーオールタイプのフード付きジャケットのいずれかからなる防護服に本発明を適用した場合を例示して説明を行なったが、使用者の頭部および頸部を覆うフード部ならびに使用者の胴部を覆うジャケット部を備えてなる防護服であれば、どのようなものにも本発明の適用が可能である。
【００８１】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００８２】
１Ａ〜１Ｄ  防護服、１０  フード部、１１  第１布材、１１ａ  下前立、１２  第２布材、１２ａ  上前立、１３  第３布材、１４  バイアステープ、１５  前合わせ、１６  開口部、１７  ギャザー部、１８  タブ、２０  ジャケット部、２０ａ  襟ぐり、２０ｂ  裾、２０ｃ，２０ｄ  袖口、２１  下前身ごろ、２１’  前身ごろ、２１ａ  下前立、２２  上前身ごろ、２２ａ  上前立、２３  後身ごろ、２４  右袖、２５  左袖、２６  前合わせ、２７ａ〜２７ｄ  ポケット、２８ａ〜２８ｃ  ギャザー部、２９ａ，２９ｂ  ベルト部、３０  ズボン部、３０ａ，３０ｂ  裾、３１ａ，３１ｂ  ギャザー部、１００  使用者、１０１  頭部、１０２  頸部、１０３  胴部、２００  防護マスク、Ａ１，Ａ２  （第１面ファスナの）ファスナ部材、Ｂ１，Ｂ２  （スライドファスナの）ファスナ部材、Ｃ１，Ｃ２  （第２面ファスナの）ファスナ部材。
【図１】
2018126364.tif 000003
【図２】
2018126364.tif 000004
【図３】
2018126364.tif 000005
【図４】
2018126364.tif 000006
【図５】
2018126364.tif 000007
【図６】
2018126364.tif 000008
【図７】
2018126364.tif 000009
【図８】
2018126364.tif 000010
【図９】
2018126364.tif 000011
【図１０】
2018126364.tif 000012